Podtech/llm-jp-corpus-v4-ja_patent huggingface dataset:
【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
１つ以上のオリゴマーを含むフルオロケミカルエステル組成物であって、各オリゴマーが（ｉ）少なくとも１個の長鎖フッ素含有繰り返し可能単位と、（ｉｉ）少なくとも１個のフッ素含有末端基とを含み、前記化合物又はオリゴマーが、
（ａ）１つ以上のフッ素化ポリオールと、
（ｂ）１７個以上の炭素原子を含有する１つ以上のポリアシル化合物と、
（ｃ）前記ポリオール（ａ）のヒドロキシル基と、又は前記ポリアシル化合物（ｂ）のアシル基と反応性がある官能基を含む１つ以上の１官能性フッ素含有化合物と、の縮合反応生成物を含む、フルオロケミカルエステル組成物。
【請求項２】
式（Ｉ）を有し、
ＲｆＱ［ＯＲ２］ｏ［ＯＣ（Ｏ）Ｒ１Ｃ（Ｏ）ＯＲ２Ｏ］ｎ［Ｃ（Ｏ）Ｒ１Ｃ（Ｏ）］ｍＴ
（Ｉ）
式中、
ｏは０〜１の数（０及び１を含む）であり、
ｎは１〜１０の数（１及び１０を含む）であり、
ｍは０〜１の数であり（０及び１を含む）、
Ｒｆは、１個〜１２個の炭素原子を有するペルフルオロアルキル基、又は、存在する全てのペルフルオロカーボン鎖が１個〜６個を有する３個〜約５０個の炭素原子を有するペルフルオロヘテロアルキル基であり、
Ｑは二価連結基であり、
Ｒ１は、ポリアシル化合物の残基である同一又は異なる多価有機基であり、これは１５個〜２０個の炭素原子からなる直鎖又は分枝状又は不飽和鎖アルキレン基であり、
Ｒ２は、ポリオールの残基である同一又は異なる二価有機基であり、その少なくとも一部は１個以上のペルフルオロアルキル基、ペルフルオロヘテロアルキル基、ペルフルオロヘテロアルキレン基、若しくはこれらの混合物で置き換えられているか又はこれらを含有し、並びに、
Ｔは、ＲｆＱか、又は、ポリアシル化合物と若しくはポリオールと反応できる、非フッ素含有一価化合物か、である、請求項１に記載のオリゴマー。
【請求項３】
Ｑが下記構造から選択され、式中、各ｋが独立に０〜２０の整数であり、Ｒ１’が水素、フェニル、又は１個〜４個の炭素原子のアルキルであり、Ｒ２’が１個〜２０個の炭素原子のアルキルである、請求項２に記載のオリゴマー。
【表１】
2010529263.tif 000001
【請求項４】
式（ＩＩＩ）を有し、
ＲｆＱ［Ｃ（Ｏ）Ｒ１Ｃ（Ｏ）ＯＲ２Ｏ］ｎ［Ｃ（Ｏ）Ｒ１Ｃ（Ｏ）］ｍＱＲｆ（ＩＩＩ）
式中、
ｎは１〜１０の数（１及び１０を含む）であり、
ｍは１であり、
Ｒｆは、１個〜１２個の炭素原子を有するペルフルオロアルキル基、又は、存在する全てのペルフルオロカーボン鎖が１個〜６個を有する３個〜５０個の炭素原子を有するペルフルオロヘテロアルキル基であり、
Ｑは二価連結基であり、
Ｒ１は１５個〜２２個の炭素原子の直鎖アルキレンであり、
Ｒ２は、ポリオールの残基である多価有機基であり、これは１個〜１４個の炭素原子の、直鎖若しくは分枝鎖アルキレン、シクロアルキレン、アリーレン又はヘテロアルキレン基、又は６個〜１２個の炭素原子のアリーレン基であり、少なくとも一部のＲ２基は、１個のペルフルオロアルキル基、ペルフルオロヘテロアルキル基、ペルフルオロヘテロアルキレン基、又はこれらの混合物を含有する、請求項１に記載のオリゴマー。
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
１種またはそれよりも多くの陽イオン性消毒剤、陽イオン性乳化剤、分散補助溶媒、および溶媒システムを含み、残存抗菌活性を示す、洗浄剤組成物。
【請求項２】
さらにアルカンジオールを含む、請求項１に記載の洗浄剤組成物。
【請求項３】
さらに１種またはそれよりも多くの非イオン性ポリマーを含む、請求項１または２に記載の洗浄剤組成物。
【請求項４】
陽イオン性消毒剤クロルヘキシジンを含む、請求項１または２に記載の洗浄剤組成物。
【請求項５】
さらにトリクロサン（非陽イオン性消毒剤）を含む、請求項４に記載の洗浄剤組成物。
【請求項６】
さらに陽イオン性消毒剤、四級アンモニウム化合物を含む、請求項４に記載の洗浄剤組成物。
【請求項７】
さらに陽イオン性消毒剤、四級アンモニウム化合物を含む、請求項５に記載の洗浄剤組成物。
【請求項８】
陽イオン性乳化剤はインクロカット化合物である、請求項１〜７のうちいずれか一項に記載の洗浄剤組成物。
【請求項９】
分散補助溶媒は、ポリグリセロール、ポリグリセロールエステル、ジプロピレングリコール、トリプロピレングリコール、およびテトラプロピレングリコールからなる群より選ばれる、請求項１〜７のうちいずれか一項に記載の洗浄剤組成物。
【請求項１０】
ポリグリセロールはジグリセロールである、請求項９に記載の洗浄剤組成物。
【請求項１１】
表面に抗微生物活性を提供する方法であって、そのような処置が必要な表面を、請求項１〜１０のうちいずれか一項に記載の洗浄剤組成物の効果的な量に、効果的な時間曝露することを含む、方法。
【手続補正２】
【補正対象書類名】明細書
【補正対象項目名】００２３
【補正方法】変更
【補正の内容】
【００２３】
本発明に従って用いる陽イオン洗浄剤の第２の非制限的実施例は、トリクロサン（非陽イオン洗浄剤）である。具体的で非制限的な実施形態において、トリクロサンの量は、洗浄剤重量の約０．０２５〜２．０パーセント、または約０．１５〜１．０パーセントである。
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
ポリ（ヒドロキシアルカン酸）と、核剤と、任意選択的にエチレンコポリマー、コア−シェルポリマー、またはそれらの組み合わせとを含むかまたはそれらから製造された組成物であって、
前記ポリ（ヒドロキシアルカン酸）が５個以下の炭素原子を有するヒドロキシアルカン酸に由来する繰り返し単位を含み；
前記核剤が１つ以上のカルボン酸を含み、または、前記組成物が前記エチレンコポリマーを含む場合には、前記核剤が、前記カルボン酸のアルキルエステル、前記カルボン酸のアルキルアミド、もしくはそれらの組み合わせを含み；
前記カルボン酸が約１０〜約３０個の炭素原子を有し、そして前記組成物の重量を基準にして、０．５〜約１５％で前記組成物中に存在し；かつ、
前記カルボン酸が芳香族カルボン酸、脂肪族カルボン酸、ポリカルボン酸、脂肪族ヒドロキシカルボン酸、またはそれらの２つ以上の組み合わせを含む
組成物。
【請求項２】
前記ポリ（ヒドロキシアルカン酸）がポリ（乳酸）を含み、そして前記カルボン酸がラウリン酸、パルミチン酸、ステアリン酸、ベヘン酸、エルカ酸、オレイン酸、リノール酸、またはそれらの２つ以上の組み合わせを含み；
前記組成物が前記コア−シェルポリマーまたは前記エチレンコポリマーを含み；かつ、
前記核剤がステアリン酸、そのアルキルエステル、そのアルキルアミド、またはそれらの２つ以上の組み合わせである
請求項１に記載の組成物。
【請求項３】
約２５〜約５０％のステアリン酸と約５０〜７５％の前記ポリ（ヒドロキシアルカン酸）とを含む高濃度マスターバッチである請求項２に記載の組成物。
【請求項４】
ポリ（ヒドロキシアルカン酸）組成物またはポリ（ヒドロキシアルカン酸）を核剤と接触させて配合物を製造する工程と、この配合物を物品へ熱成形する工程とを含む方法であって、前記組成物またはポリ（ヒドロキシアルカン酸）が請求項１〜３のいずれか一項に記載されたようなものであり；前記方法が前記熱成形中に前記ポリ（ヒドロキシアルカン酸）の結晶化を促進するのに有効な条件下に実施され；核剤がステアリン酸、そのアルキルエステル、そのアルキルアミドまたはそれらの２つ以上の組み合わせであり；かつ、前記核剤が、前記ポリ（ヒドロキシアルカン酸）の前記組成物の重量を基準として、１．２〜約１０％で前記組成物または前記ポリ（ヒドロキシアルカン酸）中に存在する方法。
【請求項５】
組成物を含むかまたはそれから製造された物品であって、フィルム、シート、成形品、またはそれらの２つ以上の組み合わせを含み、前記組成物が請求項１、２または３に記載されたようなものであり、任意選択的に熱成形品である物品。
【手続補正２】
【補正対象書類名】明細書
【補正対象項目名】００８７
【補正方法】変更
【補正の内容】
【００８７】
2010529284.tif 000001
次に、本発明の態様を示す。
1.  ポリ（ヒドロキシアルカン酸）と、核剤と、任意成分であるエチレンコポリマー、コア−シェルポリマー、またはそれらの組み合わせとを含むかまたはそれらから製造された組成物であって、前記核剤が１つ以上のカルボン酸を含み、または、前記組成物がエチレンコポリマーを含む場合には、前記核剤が、前記カルボン酸のアルキルエステル、カルボン酸のアルキルアミド、もしくはそれらの組み合わせを含み；前記カルボン酸が約１０〜約３０個の炭素原子を有し；前記カルボン酸が、前記組成物の重量を基準にして、０．５〜約１５％で前記組成物中に存在し；かつ、前記カルボン酸が芳香族カルボン酸、脂肪族カルボン酸、ポリカルボン酸、脂肪族ヒドロキシカルボン酸、またはそれらの２つ以上の組み合わせを含む、組成物。
2.  前記ポリ（ヒドロキシアルカン酸）が５個以下の炭素原子を有するヒドロキシアルカン酸に由来する繰り返し単位を含む上記１に記載の組成物。
3.  前記ポリ（ヒドロキシアルカン酸）がグリコール酸、乳酸、３−ヒドロキシプロピオン酸、２−ヒドロキシ酪酸、３−ヒドロキシ酪酸、４−ヒドロキシ酪酸。３−ヒドロキシ吉草酸、４−ヒドロキシ吉草酸、５−ヒドロキシ吉草酸、またはそれらの２つ以上の組み合わせに由来する繰り返し単位を含む上記１または２に記載の組成物。
4.  前記ポリ（ヒドロキシアルカン酸）がポリ（グリコール酸）、ポリ（乳酸）、ポリ（ヒドロキシ−酪酸）、ポリ（ヒドロキシ−ブチレート−バレレート）コポリマー、グリコール酸と乳酸、ヒドロキシ吉草酸、５−ヒドロキシ吉草酸、またはそれらの２つ以上の組み合わせとのコポリマーを含み；前記カルボン酸が１．２〜約１０％で前記組成物中に存在し；かつ、前記カルボン酸が脂肪族一官能性カルボン酸を含む、上記１〜３のいずれか一項に記載の組成物。
5.  前記ポリ（ヒドロキシアルカン酸）がポリ（乳酸）を含み、そして前記カルボン酸がラウリル酸、パルミチン酸、ステアリン酸、ベヘン酸、エルカ酸、オレイン酸、リノール酸、またはそれらの２つ以上の組み合わせを含む上記１〜４のいずれか一項に記載の組成物。
6.  前記コア−シェルポリマーまたは前記エチレンコポリマーをさらに含む上記５に記載の組成物。
7.  前記核剤がステアリン酸、そのアルキルエステル、そのアルキルアミド、またはそれらの２つ以上の組み合わせである上記１〜６のいずれか一項に記載の組成物。
8.  約２５〜約５０％のステアリン酸と約５０〜７５％のポリ（ヒドロキシアルカン酸）とを含む高濃度マスターバッチである上記１〜７のいずれか一項に記載の組成物。
9.  ポリ（ヒドロキシアルカン酸）組成物またはポリ（ヒドロキシアルカン酸）を核剤と接触させて配合物を製造する工程と、前記配合物を物品へ熱成形する工程とを含む方法であって、前記組成物またはポリ（ヒドロキシアルカン酸）が上記１〜７のいずれか一項に記載されたようなものであり、前記方法が前記熱成形中にポリ（ヒドロキシアルカン酸）の結晶化を促進するのに有効な条件下に実施され；核剤が上記１、５、または７に記載されたようなものであり；かつ、前記核剤が前記ポリ（ヒドロキシアルカン酸）の前記組成物の重量を基準として、１．２〜約１０％で前記組成物または前記ポリ（ヒドロキシアルカン酸）中に存在する方法。
10.  組成物を含むかまたはそれから製造された物品であって、フィルム、シート、成形品、またはそれらの２つ以上の組み合わせを含み、前記組成物が上記１〜７のいずれか一項に記載されたようなものであり、任意選択的に熱成形品であってもよい物品。
【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
重合反応器中に触媒粉末を導入する方法であって：
ａ）  固定子、回転子並びに当該固定子及び回転子間に配置されたシール手段を含む回転弁により触媒粉末を計量すること；
ｂ）  計量した触媒粉末を回転弁から重合反応器へ移送すること；
の各工程を含み、該方法はさらに：
ｃ）  前記回転弁の回転子に配置された１以上の内部導管中にフラッシュ用化合物を供給すること；
ｄ）  前記シール手段から離れる触媒粉末をフラッシュすること
の各工程を含む重合反応器中に触媒粉末を導入する方法。
【請求項２】
前記触媒粉末を、前記シール手段から、前記回転弁の外部に設置されている収集装置にフラッシュする、請求項１に記載の方法。
【請求項３】
前記回転子に配置された１以上の内部導管は、前記シール手段の近くに位置する室と連絡されている、請求項１又は２に記載の方法。
【請求項４】
前記触媒粉末が、耐火性酸化物に担持された酸化クロムに基づくフィリップス触媒である、請求項１〜３のいずれかに記載の方法。
【請求項５】
前記触媒粉末が、塩化マグネシウムに担持された四塩化チタンを含むチグラー・ナッタ触媒である、請求項１〜３のいずれかに記載の方法。
【請求項６】
触媒粉末が少なくとも２種の触媒成分を含み、第１成分は周期表の４〜６族の金属のモノシクロペンタジエニル錯体に基づく重合触媒であり、第２成分は三座リガンドを有する鉄成分に基づく重合触媒である、請求項１〜３のいずれかに記載の方法。
【請求項７】
工程ｃ）及びｄ）が連続的に操作される、請求項１〜６のいずれかに記載の方法。
【請求項８】
工程ｃ）のフラッシュ用化合物を窒素、プロパン、イソペンタン、ヘキサン、シクロヘキサンから選択する、請求項１〜７のいずれかに記載の方法。
【請求項９】
工程ｂ）の計量した触媒粉末を触媒活性化工程に移送し、それから、前記重合反応器に供給する、請求項１〜８のいずれかに記載の方法。
【請求項１０】
工程ｂ）で計量した触媒粉末を気体キャリヤー又は液体キャリヤーにより前記重合反応器に連続的に移送する、請求項１〜９のいずれかに記載の方法。
【請求項１１】
前記キャリヤーを窒素及びプロパンから選択する、請求項１０に記載の方法。
【請求項１２】
重合反応器中に触媒粉末を導入するための装置であって、当該装置は、
−  前記触媒粉末を貯蔵するためのタンク又はホッパー、
−  計量用回転弁であって、固定子、回転子、該固定子及び回転子間に配置したシール手段、並びに当該回転弁の回転子内部にフラッシュ用化合物を供給するためのフラッシュ手段を含む当該回転弁、
−  計量した触媒粉末を前記重合反応器に運搬するための移送手段
を含む重合反応器中に触媒粉末を導入するための装置。
【請求項１３】
前記フラッシュ手段が、前記回転子の軸方向に沿って当該回転子中に配置された１つ以上の内部導管を含む、請求項１２に記載の装置。
【請求項１４】
前記１つ以上の内部導管が、前記シール手段の近くに位置した室と連絡状態にある、請求項１２又は１３に記載の装置。
【請求項１５】
前記回転弁の回転子が、触媒粉末を収集し計量するための１つ以上の凹部を含む、請求項１２〜１４のいずれかに記載の装置。
【手続補正２】
【補正対象書類名】明細書
【補正対象項目名】００１１
【補正方法】変更
【補正の内容】
【００１１】
したがって、本発明の第一目的は、重合反応器中への触媒粉末導入方法であり、当該方法は：
ａ）  固定子、回転子並びに当該固定子及び回転子間に配置されたシール手段を含む回転弁により触媒粉末を計量すること；
ｂ）  計量した触媒粉末を回転弁から重合反応器へ移送すること；
の各工程を含み、さらに
ｃ）  前記回転弁の回転子に配置された１以上の内部導管中にフラッシュ用化合物を供給すること；
ｄ）  前記シール手段から離れる触媒粉末をフラッシュすること
の各工程を含む方法にある。
【手続補正書】
【提出日】平成23年5月2日(2011.5.2)
【手続補正１】
【補正対象書類名】特許請求の範囲
【補正対象項目名】全文
【補正方法】変更
【補正の内容】
【特許請求の範囲】
【請求項１】
ブロックトイソシアネート、エポキシ樹脂及び触媒を混合して混合物を形成し；
前記混合物を反応させてオキサゾリドン及びイソシアヌレート環の少なくとも一方を形成する；
ことを含んでなり、反応生成物が、赤外分光法によって測定した場合に、１７１０〜１７６０ｃｍ-1の範囲にオキサゾリドン−イソシアヌレートピークを有する硬化組成物の形成方法。
【請求項２】
前記混合物を基材上に配置することを更に含む請求項１に記載の方法。
【請求項３】
前記混合物の２つ又はそれ以上の層を基材上に配置する請求項２に記載の方法。
【請求項４】
ブロックトイソシアネート、エポキシ樹脂及び触媒を混合して混合物を形成し；
前記混合物を基材にコーティングし；
前記混合物を反応させてオキサゾリドン及びイソシアヌレート環の少なくとも一方を形成することを含んでなり；
反応生成物が、赤外分光法によって測定した場合に、１７１０〜１７６０ｃｍ-1の範囲にオキサゾリドン−イソシアヌレートピークを有する被覆基材の形成方法。
【請求項５】
ブロックトイソシアネート及びエポキシ樹脂の反応生成物を含んでなり、
前記反応生成物が、赤外分光法によって測定した場合に、１７１０〜１７６０ｃｍ-1の範囲にオキサゾリドン−イソシアヌレートピークを有するイソシアネート−エポキシ組成物。
【請求項６】
前記反応生成物が、赤外分光法によって測定した場合に、２２７０ｃｍ-1にイソシアネート吸光度ピークを有さず、そして前記反応生成物が、赤外分光法によって測定した場合に、３５００ｃｍ-1にヒドロキシル吸光度ピークを有さない請求項５に記載の組成物。
【請求項７】
前記反応生成物が、赤外分光法によって測定した場合に、２２７０ｃｍ-1にイソシアネート吸光度ピークを有さず、そして前記反応生成物が、赤外分光法によって測定した場合に、３５００ｃｍ-1にヒドロキシル吸光度ピークを有さない請求項１に記載の方法。
【請求項８】
前記触媒が少なくとも１種のイミダゾールを含む請求項１に記載の方法。
【請求項９】
前記エポキシ樹脂がノボラック樹脂、エポキシ化合物、イソシアネート改質エポキシ樹脂及びカルボキシレート付加物の少なくとも１種を含む請求項１に記載の方法。
【請求項１０】
前記混合がエポキシ硬化剤を混合して混合物を形成することを更に含み、前記エポキシ硬化剤が水、アミン、カルボン酸及びフェノールの少なくとも１種を含む請求項１に記載の方法。
【請求項１１】
前記のブロックトイソシアネートの形成がイソシアネート化合物とイソシアネートブロック剤とを混合することを更に含む請求項１に記載の方法。
【請求項１２】
前記イソシアネート化合物がウレトジオン類、ビウレット類、アロファネート類、イソシアヌレート類、カルボジイミド類、カルバメート類及びイソシアネートプレポリマー類の少なくとも１種を含む請求項１に記載の方法。
【請求項１３】
前記ブロックトイソシアネートがイソシアネートアリールカルバメートである請求項１に記載の方法。
【請求項１４】
前記混合物を加熱することを更に含む請求項１に記載の方法。
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
ＦＴ由来ディーゼル、原油由来ディーゼル及びＣＦＰＰ向上添加剤のブレンドであって、前記ＦＴディーゼルが前記ブレンドの１容量％〜５０容量％であり、前記ブレンドが−１８℃以下のＣＦＰＰを有し、前記ＦＴディーゼルが３．２質量％未満、典型的には１．６質量％未満の＞Ｃ１９ワックス含有量を有することを特徴とするブレンド。
【請求項２】
前記ＦＴディーゼルが前記ブレンドの５容量％〜４０容量％、典型的には５容量％〜２０容量％であり、前記ブレンドのＣＦＰＰが−２０℃以下である、請求項１に記載のブレンド。
【請求項３】
前記ＣＦＰＰ向上添加剤が前記ブレンドの５０ｐｐｍ〜１０００ｐｐｍ、典型的には１００ｐｐｍ〜１０００ｐｐｍ、より典型的には２５０ｐｐｍ〜１０００ｐｐｍである、請求項１又は２のいずれか１項に記載のブレンド。
【請求項４】
前記ＦＴディーゼルが−５℃〜−１８℃、典型的には−１０℃〜−１８℃のＣＦＰＰを有する、請求項１〜３のいずれか１項に記載のブレンド。
【請求項５】
前記ＦＴディーゼルが、−１８℃のＣＦＰＰ及び以下の特徴：
【表１】
2010529235.tif 000001
を有する、請求項１〜４のいずれか１項に記載のブレンド。
【請求項６】
前記ＦＴディーゼルが１２０℃〜１０５℃のＴ９０−Ｔ２０を有する、請求項１〜４のいずれか１項に記載のブレンド。
【請求項７】
前記ＦＴディーゼルが−１０℃未満のＣＦＰＰに適合した冬季用ディーゼルとして定義される、請求項１〜４及び６のいずれか１項に記載のブレンド。
【請求項８】
前記原油由来ディーゼルが−５℃〜−１５℃、典型的には−１０℃〜−１５℃のＣＦＰＰを有する、請求項１〜７のいずれか１項に記載のブレンド。
【請求項９】
前記原油由来ディーゼルが６０℃〜１３０℃のＴ９０−Ｔ２０を有する、請求項１〜８のいずれか１項に記載のブレンド。
【請求項１０】
前記原油由来ディーゼルが２３℃〜３５℃のＦＢＰ−Ｔ９０を有する、請求項１〜９のいずれか１項に記載のブレンド。
【請求項１１】
圧縮着火燃料ブレンド用のブレンド成分としてのＦＴディーゼルの使用であって、前記ブレンドが、前記ＦＴディーゼル、原油由来ディーゼル燃料及びＣＦＰＰ向上添加剤を含み、前記ＦＴディーゼルが前記ブレンドの１容量％〜５０容量％であり、前記ブレンドが−２０℃以下のＣＦＰＰを有し、約２０容量％のＦＴディーゼルを含むブレンドのＣＦＰＰが、典型的には、ナローカットの原油由来ディーゼルに関しては、５００ｐｐｍ未満のＣＦＰＰ向上剤添加比率で−２０℃未満であり、ワイドカットの原油由来ディーゼルに関しては、同様の添加比率で−３０℃未満であることを特徴とする使用。
【請求項１２】
前記ＦＴディーゼルが前記ブレンドの５容量％〜４０容量％であり、前記ブレンドのＣＦＰＰが−２０℃以下である、請求項１１に記載の使用。
【請求項１３】
前記ＣＦＰＰ向上添加剤が、前記ブレンドの５０ｐｐｍ〜１０００ｐｐｍである、請求項１１又は１２に記載の使用。
【手続補正書】
【提出日】平成23年5月19日(2011.5.19)
【手続補正１】
【補正対象書類名】特許請求の範囲
【補正対象項目名】全文
【補正方法】変更
【補正の内容】
【特許請求の範囲】
【請求項１】
構造式：
2010529203.tif 000001
［式中、
環における
2010529203.tif 000002
は、１つまたは２つの二重結合を表し；
Ｒ１は、
アルキル、
アリール、
アリールアルキル、
ヘテロアリール、および
ヘテロアリールアルキルから選択され；
Ｒ２は、
アルキル、
アリール、
アリールアルキル、
ヘテロアリール、および
ヘテロアリールアルキルから選択され；
Ｘは、
Ｓ、
Ｏ、
Ｎ、
ＮＲ３、および
ＣＲ３から選択され；
Ｙは、
Ｎ、
ＣＲ４、および
ＮＲ４から選択され；
Ｚは、
Ｏ、
Ｓ、
Ｓ（Ｏ）、
Ｓ（Ｏ）２、および
ＮＲ５ａから選択され；
Ｒ３、Ｒ４、およびＲ５は同一または異なって、独立して、
Ｈ、
ハロゲン、
アルキル、
アリール、
ヘテロアリール、
アリールアルキル、および
ヘテロアリールアルキルから選択されるが；ただし、ＸがＮＲ３であるか、またはＹがＮＲ４である場合、Ｒ３およびＲ４はハロゲンでなく；
Ｒ５ａは、
Ｈ、
アルキル、および
アリールから選択され；
Ｒ６およびＲ７は同一または異なって、独立して、
Ｈ、
ハロゲン、および
アルキルから選択され；
Ｒ８は、
アリール、
ヘテロアリール、
−ＰＯ（ＯＲ９）（ＯＲ１０）、
−ＰＯ（ＯＲ９）Ｒ１０、および
−ＰＯ（Ｒ９）Ｒ１０から選択され；
Ｒ９およびＲ１０は同一または異なって、独立して水素およびアルキルから選択され；
ｍは０または１であり；
ｎは０、１、２、または３であるが；
ただし、
ＺがＯ、Ｓ、Ｓ（Ｏ）またはＳ（Ｏ）２の場合、Ｒ８は、
2010529203.tif 000003
５）アルコキシ；
６）テトラゾリル；
７）−ＳＯ２ＮＲｉＲｊ；
８）ＣＮ；
2010529203.tif 000004
１１）ハロおよび−ＣＦ３；
2010529203.tif 000005
１３）アルキル；
2010529203.tif 000006
から選択される置換基で置換されなければならず、ここで、
ＲｆおよびＲｇは独立して、Ｈ、アルキルおよびアリールから選択され；
Ｒｈはアルキルまたはアリールであり；並びに
ＲｉおよびＲｊは独立して、Ｈ、アルキルおよびアリールから選択されるが、ただし、ＲｉおよびＲｊの少なくとも１つがＨでない］
を有する化合物、それの立体異性体、それのプロドラッグエステル、またはそれの医薬的に許容される塩。
【請求項２】
式Ｉの化合物に存在する、前記の部分
2010529203.tif 000007
が、
2010529203.tif 000008
である、請求項１の化合物。
【請求項３】
式Ｉの化合物に存在する、前記の部分が、
2010529203.tif 000009
である、請求項２の化合物。
【請求項４】
Ｒ１が、アルコキシアルキル、ヒドロキシアルキル、アルキル、ヘテロアリールまたはハロヘテロアリールであり；
Ｒ２が、アリール、アルキルスルホニルアリール、アルキル、アリールアルキル、ヘテロシクロカルボニルヘテロアリールまたはアルキルスルホニルヘテロアリールであり；
ＺがＯ、Ｓ、またはＳＯ２であり；
ｎが０または１であり；
Ｒ６およびＲ７が各々水素であり；並びに、
Ｒ８がフェニルまたはヘテロアリールであり、
そのＲ８は、−ＣＮ、−Ｃ（Ｏ）ＮＲｆＲｇ、−Ｃ（Ｏ）ＯＲｈ、アルコキシ、テトラゾリル，アルキル、ハロ、−ＣＦ３、または−ＳＯ２ＮＲｉＲｊで置換される、
請求項３の化合物。
【請求項５】
Ｒ１が、アルコキシアルキル、ヒドロキシアルキルまたはアルキルであり；
Ｒ２が、
2010529203.tif 000010
またはヘテロシクロカルボニルヘテロアリールであり；
Ｒ４がＨであり；並びに、
2010529203.tif 000011
がＣＨ２または結合である、
請求項４の化合物。
【請求項６】
Ｒ１が、ＣＨ３ＯＣＨ２ＣＨ（ＣＨ３）−、ＨＯＣＨ２ＣＨ（ＣＨ３）−、ｉ−Ｃ３Ｈ７、ＣＨ３、
2010529203.tif 000012
であり；
Ｒ２が、
2010529203.tif 000013
であり；
Ｒ４がＨであり；
ＺがＯであり；
ｎが０または１であり；
2010529203.tif 000014
がＣＨ２または結合であり；並びに
Ｒ８が、
2010529203.tif 000015
である、請求項４の化合物。
【請求項７】
2010529203.tif 000016
2010529203.tif 000017
2010529203.tif 000018
2010529203.tif 000019
2010529203.tif 000020
2010529203.tif 000021
である、請求項１の化合物。
【請求項８】
請求項１の化合物、およびそれの医薬的に許容される担体を含む、医薬組成物。
【請求項９】
請求項１の式Ｉの化合物の治療上の有効量および医薬的に許容される担体を治療が必要な哺乳類患者に投与することを特徴とする、グルコキナーゼ活性化剤治療を必要とする疾患の治療、予防または進行の遅延に用いる医薬組成物。
【請求項１０】
前記の疾患が糖尿病、高血糖、耐糖能障害、インスリン抵抗性、高インスリン血症、網膜症、神経障害、腎障害、創傷治癒の遅延、アテローム性動脈硬化症およびそれの続発症、心臓機能異常、心筋虚血、脳卒中、メタボリックシンドローム、高血圧症、肥満症、異脂肪血症、高脂血症、高トリグリセリド血症、高コレステロール血症、低ＨＤＬ、高ＬＤＬ、非心臓性虚血、感染症、癌、血管性再狭窄、膵臓炎、神経変性疾患、脂質障害、認知機能障害および認知症、骨疾患、ＨＩＶプロテアーゼ関連のリポジストロフィー、および緑内障である、請求項９の医薬組成物。
【請求項１１】
前記の疾患が２型糖尿病である、請求項９の医薬組成物。
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
3-(4-(7H-ピロロ[2,3-d]ピリミジン-4-イル)-1H-ピラゾール-1-イル)-3-(3-ヒドロキシシクロペンチル)プロパンニトリル;
3-(4-(7H-ピロロ[2,3-d]ピリミジン-4-イル)-1H-ピラゾール-1-イル)-3-(2-ヒドロキシシクロペンチル)プロパンニトリル;および
3-(4-(7H-ピロロ[2,3-d]ピリミジン-4-イル)-1H-ピラゾール-1-イル)-3-(3-オキソシクロペンチル)プロパンニトリル、
から選択される化合物、またはその医薬上許容される塩。
【請求項２】
実質的に単離されている、請求項1の化合物、またはその医薬上許容される塩。
【請求項３】
請求項1の化合物またはその医薬上許容される塩、および少なくとも１つの医薬上許容される担体を含む、組成物。
【請求項４】
経口投与に好適である、請求項3記載の組成物。
【請求項５】
JAKの活性を調節するための、請求項1の化合物、またはその医薬上許容される塩を含む医薬組成物。
【請求項６】
該調節が阻害である、請求項5記載の医薬組成物。
【請求項７】
JAK活性と関連した疾患を処置するための、治療上有効量の請求項1の化合物、またはその医薬上許容される塩を含む、医薬組成物。
【請求項８】
該疾患が、同種移植片拒絶反応または移植対宿主疾患である、請求項7記載の医薬組成物。
【請求項９】
疾患が自己免疫疾患である、請求項7記載の医薬組成物。
【請求項１０】
該疾患が皮膚障害である、請求項7記載の医薬組成物。
【請求項１１】
該疾患がウイルス性疾患である、請求項7記載の医薬組成物。
【請求項１２】
該疾患が癌である、請求項7記載の医薬組成物。
【請求項１３】
該癌が固体腫瘍である、請求項12記載の医薬組成物。
【請求項１４】
該癌が、前立腺癌、腎臓、肝臓癌、乳癌、肺癌、甲状腺癌、カポジ肉腫、またはキャッスルマン病または膵臓癌である、請求項13記載の医薬組成物。
【請求項１５】
該癌が皮膚癌である、請求項12記載の医薬組成物。
【請求項１６】
該疾患が変異体JAK2を特徴とする、請求項7記載の医薬組成物。
【請求項１７】
該疾患が骨髄増殖性障害である、請求項7記載の医薬組成物。
【請求項１８】
該疾患が炎症性疾患である、請求項7記載の医薬組成物。
【請求項１９】
該炎症性疾患が炎症性筋疾患である、請求項7記載の医薬組成物。
【請求項２０】
該疾患が虚血再灌流であるか、または虚血事象に関連がある、請求項7記載の医薬組成物。
【請求項２１】
該疾患が、癌に起因または関連する食欲不振または悪液質である、請求項7記載の医薬組成物。
【請求項２２】
該疾患が、癌に起因または関連する疲労である、請求項7記載の組成物。
【請求項２３】
癌、関節リウマチ、前立腺癌、乾癬、多発性骨髄腫、菌状息肉腫、血液癌、慢性骨髄性白血病(CML)、急性リンパ芽球性白血病(ALL)または慢性骨髄単球性白血病(CMML)を処置するための、治療上有効量の請求項1の化合物またはその医薬上許容される塩を含む、医薬組成物。
【請求項２４】
骨髄線維症を伴う骨髄化生(MMM)、真性多血症(PV) または本態性血小板血症(ET)を処置するための、治療上有効量の請求項1の化合物またはその医薬上許容される塩を含む、医薬組成物。
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
(R)-3-(4-(7H-ピロロ[2,3-d]ピリミジン-4-イル)-1H-ピラゾール-1-イル)-3-シクロペンチルプロパンニトリルマレイン酸塩;
(R)-3-(4-(7H-ピロロ[2,3-d]ピリミジン-4-イル)-1H-ピラゾール-1-イル)-3-シクロペンチルプロパンニトリル硫酸塩;および
(R)-3-(4-(7H-ピロロ[2,3-d]ピリミジン-4-イル)-1H-ピラゾール-1-イル)-3-シクロペンチルプロパンニトリルリン酸塩、
から選択される塩。
【請求項２】
(R)-3-(4-(7H-ピロロ[2,3-d]ピリミジン-4-イル)-1H-ピラゾール-1-イル)-3-シクロペンチルプロパンニトリルマレイン酸塩である、請求項1記載の塩。
【請求項３】
(R)-3-(4-(7H-ピロロ[2,3-d]ピリミジン-4-イル)-1H-ピラゾール-1-イル)-3-シクロペンチルプロパンニトリル硫酸塩である、請求項1記載の塩。
【請求項４】
(R)-3-(4-(7H-ピロロ[2,3-d]ピリミジン-4-イル)-1H-ピラゾール-1-イル)-3-シクロペンチルプロパンニトリルリン酸塩である、請求項1記載の塩。
【請求項５】
(R)-3-(4-(7H-ピロロ[2,3-d]ピリミジン-4-イル)-1H-ピラゾール-1-イル)-3-シクロペンチルプロパンニトリルと、マレイン酸、硫酸、またはリン酸とを組み合わせることを含む、請求項1-4のいずれかに記載の塩の製造方法。
【請求項６】
請求項1−4のいずれか一項に記載の少なくとも１つの塩および少なくとも１つの医薬上許容し得る担体を含む、組成物。
【請求項７】
経口または局所投与に適切である、請求項6記載の組成物。
【請求項８】
JAKの活性を調節するための、請求項1-4いずれかに記載の塩を含む、医薬組成物。
【請求項９】
該調節が阻害することである、請求項8記載の医薬組成物。
【請求項１０】
JAK活性と関連がある疾患を処置するための、治療上有効量の請求項1-4のいずれかに記載の塩を含む、医薬組成物。
【請求項１１】
該疾患が同種移植片拒絶反応または移植対宿主疾患である、請求項10記載の医薬組成物。
【請求項１２】
該疾患が自己免疫疾患である、請求項10記載の医薬組成物。
【請求項１３】
該自己免疫疾患が水疱性皮膚障害である、請求項10記載の医薬組成物。
【請求項１４】
該疾患が皮膚障害である、請求項10記載の医薬組成物。
【請求項１５】
該疾患がウイルス性疾患である、請求項10記載の医薬組成物。
【請求項１６】
該疾患が癌である、請求項10記載の医薬組成物。  
【請求項１７】
該疾患が突然変異体JAK2を特徴とする、請求項10記載の医薬組成物。
【請求項１８】
該疾患が骨髄増殖性疾患である、請求項10記載の医薬組成物。
【請求項１９】
該疾患が炎症性疾患である、請求項10記載の医薬組成物。
【請求項２０】
該疾患が、虚血再灌流または虚血事象に関するものである、請求項10記載の医薬組成物。
【請求項２１】
該疾患が、癌に起因または関連する食欲不振または悪液質である、請求項10記載の医薬組成物。
【請求項２２】
該疾患が癌に起因または関連する疲労である、請求項10記載の医薬組成物。
【請求項２３】
癌、皮膚障害、炎症、リウマチ性関節炎、前立腺癌、乾癬、多発性骨髄腫、菌状息肉腫、血液癌、慢性骨髄性白血病(CML)、急性リンパ芽球性白血病(ALL)または慢性骨髄単球性白血病(CMML)を処置するための、治療上有効量の請求項1〜4いずれか一項に記載の塩を含む、医薬組成物。
【請求項２４】
骨髄線維症を伴う骨髄化生(MMM)、真性多血症(PV) または本態性血小板血症(ET)を処置するための、治療上有効量の請求項1〜4いずれか一項に記載の塩を含む、医薬組成物。
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
下記を含むオーラルケア組成物；
（ａ）艶出剤（研磨剤）、起泡剤（界面活性剤）、バインダー、保湿剤、薬剤、過酸化物供給源、重炭酸アルカリ金属塩、増粘材料、水、二酸化チタン、香味剤、甘味剤、キシリトール、着色剤、水及びそれらの混合物から成る群から選択される、１０％〜９９％の、少なくとも１種の成分；及び
（ｂ）下記を含む、有効量の抗汚染薬剤；
（ｂ）（Ｉ）（１）次の構造（Ｉ）に従う有機リン化合物：
【化１】
2010529207.tif 000001
（式中、
各Ｒ1及び各Ｒ2は、独立して、存在しないか又はＯであるが、Ｒ1及びＲ2の少なくとも一方はＯであり、
各Ｒ3は、独立して、所望により、アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されてもよいアルキレンオキシ又はポリ（アルキレンオキシ）であり、
Ｒ5及び各Ｒ4は、独立して、存在しないか、あるいは所望により、アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されてもよいアルキレンオキシ又はポリ（アルキレンオキシ）であり、
Ｒ6及びＲ8は、それぞれ、そして各Ｒ7は、独立して、Ｈ若しくは（Ｃ1〜Ｃ30）炭化水素、又は−ＰＯＲ9Ｒ10であり、前記炭化水素は、１つ若しくは２つ以上の炭素原子上に、ヒドロキシル、フッ素、アルキル、アルケニル若しくはアリールで所望により置換されていてもよく、そして／又は１若しくは２以上の位置のところで、Ｏ，Ｎ若しくはＳヘテロ原子により所望により割り込まれてもよく、
Ｒ9及びＲ10は、それぞれ独立して、ヒドロキシル、アルコキシ、アリールオキシ又は（Ｃ1〜Ｃ30）炭化水素であり、前記炭化水素は、１つ若しくは２つ以上の炭素原子上に、ヒドロキシル、フッ素、アルキル、アルケニル若しくはアリールにより所望により置換されていてもよく、そして／又は１若しくは２以上の位置において、Ｏ，Ｎ若しくはＳヘテロ原子により割り込まれてもよく、そして
ｍは、１〜５の整数である）；
（ｂ）（Ｉ）（２）構造（Ｉ）に従う有機リン化合物の塩；
（ｂ）（Ｉ）（３）構造（Ｉ）に従う１種又は２種以上の有機リン化合物の２又は３以上の分子の縮合反応生成物：並びに
（ｂ）（Ｉ）（４）  （ｂ）（Ｉ）（１）、（ｂ）（Ｉ）（２）及び（ｂ）（Ｉ）（３）の、２種又は３種以上の、化合物、塩及び／又は反応生成物を含む混合物。
【請求項２】
前記抗汚染薬剤が、下記；
（ｂ）（ＩＩ）（１）次の構造（Ｉ−ａ）に従うモノマー単位を含むポリマー：
【化２】
2010529207.tif 000002
（ｂ）（ＩＩ）（２）ポリマー（ｂ）（ＩＩ）（１）の塩；
（ｂ）（ＩＩ）（３）１種又は２種以上のポリマー（ｂ）（ＩＩ）（１）の２又は３以上の分子の反応生成物：
から選択されるビニルアルコール材料をさらに含む、請求項１に記載のオーラルケア組成物。
【請求項３】
緩衝剤として、炭酸ナトリウムをさらに含む、請求項１又は２に記載のオーラルケア組成物。
【請求項４】
シリカ、アルミナ、ホスフェート、オルトホスフェート、ポリメタホスフェート、β−ピロリン酸カルシウム、炭酸カルシウム、及びそれらの混合物から成る群から選択される研磨艶出材料、並びに水をさらに含む、請求項１〜３のいずれか一項に記載のオーラルケア組成物。
【請求項５】
０．０１％〜１０％の過酸化物供給源を含む、請求項１〜４のいずれか一項に記載のオーラルケア組成物。
【請求項６】
前記有機リン材料が、液状キャリア中に存在する、請求項１〜５のいずれか一項に記載のオーラルケア組成物。
【請求項７】
前記有機リン材料、界面活性剤、研磨剤及び所望による液体を含む歯清浄製品である、請求項１〜６のいずれか一項に記載のオーラルケア組成物。
【請求項８】
前記研磨剤が、ケイ酸、コロイダルシリカ、ヒュームドシリカ、不溶性メタリン酸ナトリウム、不溶性アルミノケイ酸ナトリウム、重炭酸ナトリウム、又はそれらの混合物の１種又は２種以上を含む研磨剤系である、請求項７に記載のオーラルケア組成物。
【請求項９】
前記歯清浄製品が、練り歯磨き又は歯清浄ゲルである、請求項７又は８に記載のオーラルケア組成物。
【請求項１０】
前記歯清浄製品が、少なくとも０．５：１の、保湿剤：水の比を有する半透明ゲルである、請求項７〜９のいずれか一項に記載のオーラルケア組成物。
【請求項１１】
有効量の前記有機リン材料と、２０重量％〜９５重量％の艶出剤とを含む歯磨き粉である、請求項１〜６のいずれか一項に記載のオーラルケア組成物。
【請求項１２】
歯から汚染物を除去するために有効な量の有機リン材料；アルコール；保湿剤；及び水を含む口内洗浄剤である、請求項１〜６のいずれか一項に記載のオーラルケア組成物。
【請求項１３】
１種又は２種以上の、着香剤、甘味剤、抗歯石剤、抗う蝕剤、緩衝剤、又は加工助剤をさらに含む、請求項１２に記載のオーラルケア組成物。
【請求項１４】
Ｒ6及びＲ8が、それぞれ、そして各Ｒ7が、独立して、Ｈ、又は−ＰＯＲ9Ｒ10であり、そしてＲ9及びＲ10が、それぞれ独立して、ヒドロキシルである、請求項１〜１３のいずれか一項に記載のオーラルケア組成物。
【請求項１５】
ｍが、２〜５の整数である、請求項１〜１４のいずれか一項に記載のオーラルケア組成物。
【請求項１６】
前記有機リン化合物が、下記；
（Ｘ）（１）次の構造（ＩＸ）に従う有機リン化合物：
【化３】
2010529207.tif 000003
（式中、
ｐは２、３又は４であり、
ｒは４〜５０の数である）；
（ＩＸ）（２）構造（ＩＸ）に従う有機リン化合物の塩；並びに
（ＩＸ）（３）  （ＩＸ）（１）及び（ＩＸ）（２）の、２種又は３種以上の、化合物及び／又は塩を含む混合物：
から選択される、請求項１〜１５のいずれか一項に記載のオーラルケア組成物。
【請求項１７】
請求項１〜６のいずれか一項に記載のオーラルケア組成物を含む、チューインガム。
【請求項１８】
請求項１〜６のいずれか一項に記載のオーラルケア組成物を含む、オーラルケアストリップ。
【請求項１９】
請求項１〜６のいずれか一項に記載のオーラルケア組成物を含む、舐剤。
【請求項２０】
有効量の、請求項１〜１１のいずれか一項に記載のオーラルケア組成物を、清浄を必要とする歯に適用することを含む、歯を清浄するための方法。
【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
製品（Ｗ）の湿式化学処理用装置であって、上記製品（Ｗ）は上記装置（１００）内に置かれており、各々少なくとも一つのパドル様流量要素（１５５）を備えた少なくとも流量部材（１５０）を備えて構成される装置（１００）であって、
少なくとも一つの流量部材（１５０）が、製品（Ｗ）の表面と向かい合った位置に置かれ、且つ製品（Ｗ）の表面と平行に移動可能である、装置において、
各流量要素は、製品（Ｗ）の表面に面する側を備えており、当該側は溝及び／又は穴形状を形成するように構成されていること、又は、
前記少なくとも一つのパドル様流量要素（１５５）は、製品（Ｗ）の表面から５０ｍｍ以下の範囲で間隔をあけて置かれること、又は、
製品が板状製品（Ｗ）である場合には、流量部材（１５０）は、板状製品（Ｗ）の両側に配置され、流量部材（１５０）のパドル様流量要素（１５５）は、板状製品（Ｗ）の両側に面して互いに喰い違うように置かれることを特徴とする、装置。
【請求項２】
製品（Ｗ）が、プリント回路基板、プリント回路箔、半導体ウェハ、光電板、及びガラス板の群から選択されることを特徴とする、請求項１に記載の湿式化学処理用装置。
【請求項３】
製品（Ｗ）が板形状をしており、且つ装置（１００）内の処理面内に置かれること、及び、流量部材（１５０）が処理面の各面に面して置かれることを特徴とする、請求項１又は２に記載の湿式化学処理用装置。
【請求項４】
少なくとも一つの流量部材（１５０）が、製品（Ｗ）の表面に実質的に平行に延びるように配置されることを特徴とする、請求項１〜３のいずれか一項に記載の湿式化学処理用装置。
【請求項５】
流量部材（１５０）が少なくとも二つのパドル様流量要素（１５５）を備えて構成されること、及び、流量要素（１５５）は互いに平行に配置されることを特徴とする、請求項１〜４のいずれか一項に記載の湿式化学処理用装置。
【請求項６】
少なくとも一つの流量部材（１５０）が移動路内を移動可能であること、及び、パドル様流量要素（１５５）が移動路を横切って延びることを特徴とする、請求項１〜５のいずれか一項に記載の湿式化学処理用装置。
【請求項７】
少なくとも一つの流量部材（１５０）が、製品（Ｗ）の表面が完全に覆われるように前後に移動可能であることを特徴とする、請求項１〜６のいずれか一項に記載の湿式化学処理用装置。
【請求項８】
少なくとも一つの流量部材（１５０）は、流量部材が製品（Ｗ）の全表面に渡って動かされるように、移動路内を循環するように設計されることを特徴とする、請求項１〜６のいずれか一項に記載の湿式化学処理用装置。
【請求項９】
流量部材（１５０）の少なくとも一つのパドル様流量要素（１５５）が固く保持されることを特徴とする請求項１〜８のいずれか一項に記載の湿式化学処理用装置。
【請求項１０】
流量部材（１５０）の少なくとも一つのパドル様流量部材（１５５）が枢軸回転可能であることを特徴とする、請求項１〜８のいずれか一項に記載の湿式化学処理用装置。
【請求項１１】
パドル様流量要素（１５５）が、製品（Ｗ）の表面に面する凸型に形成された端面を備えて構成されることを特徴とする、請求項１〜１０のいずれか一項に記載の湿式化学処理用装置。
【請求項１２】
パドル様流量要素（１５５）が、移動中屈曲するように設計されることを特徴とする、請求項１〜１１のいずれか一項に記載の湿式化学処理用装置。
【請求項１３】
パドル様流量要素（１５５）が、ストリップ及びピンの群から選択されることを特徴とする、請求項１〜１２のいずれか一項に記載の湿式化学処理用装置。
【請求項１４】
少なくとも一つの流量部材（１５０）が移動路内を移動可能であって、且つ主面を備えた少なくとも一つのストリップ（１５５）を備えて構成されること、及び、ストリップ（１５５）の主面が、流量部材（１５０）の移動路を横切って延びることを特徴とする、請求項１３に記載の湿式化学処理用装置。
【請求項１５】
パドル様流量要素（１５５）が、製品（Ｗ）の表面に面している側に溝及び／又は穴形成を形成するように構成されることを特徴とする、請求項１３又は１４に記載の湿式化学処理用装置。
【請求項１６】
製品（Ｗ）が処理面に対して垂直に動くこと、及び、同時に少なくとも一つの流量部材（１５０）が、製品（Ｗ）から一定の間隔をあけてそれと平行に動かされることを特徴とする、請求項３〜１５のいずれか一項に記載の湿式化学処理用装置。
【請求項１７】
請求項１〜１６のいずれか一項に記載の処理装置（１００）内に置かれた製品（Ｗ）の湿式化学処理方法であって、
ａ．処理装置（１００）内に少なくとも一つの流量部材（１５０）を備える工程であって、上記流量部材は各々少なくとも一つのパドル様流量要素（１５５）を備えて構成される、工程と、
ｂ．製品（Ｗ）の表面と向かい合うように、処理装置（１００）内に少なくとも一つの流量部材（１５０）を配置する工程と、
ｃ．製品（Ｗ）の表面に対して平行に流量部材（１５０）を動かす工程とを有する方法において、
各流量要素（１５５）は、製品（Ｗ）の表面に面する側を備えており、当該側は溝及び／又は穴形状を形成するように構成されていること、又は、
前記少なくとも一つの流量要素（１５５）は、製品（Ｗ）の表面から５０ｍｍ以下の範囲で間隔をあけて置かれること、又は、
製品が板状製品（Ｗ）である場合には、流量部材（１５０）は、板状製品（Ｗ）の両側に配置され、流量部材（１５０）のパドル様流量要素（１５５）は、板状製品（Ｗ）の両側に面して互いに喰い違うように置かれることを特徴とする、方法。
【請求項１８】
少なくとも一つの流量部材（１５０）が、前後に且つ製品（Ｗ）の全表面に渡って動かされることを特徴とする、請求項１７に記載の湿式化学処理方法。
【請求項１９】
少なくとも一つの流量部材（１５０）が、製品（Ｗ）の全表面に渡って動くように、移動路内を循環することを特徴とする、請求項１７に記載の湿式化学処理方法。
【請求項２０】
装置（１００）内に置かれた製品（Ｗ）の湿式化学処理のために、少なくとも一つのパドル様流量要素（１５５）を備えた少なくとも一つの流量部材（１５０）を、装置（１００）内に取り付ける方法であって、
ｉ．湿式化学処理用装置（１００）を備える工程、
ｉｉ．少なくとも一つの流量部材（１５０）が製品（Ｗ）の表面と向かい合うように配置され、且つ製品（Ｗ）の表面に平行に移動可能となるように、流量部材（１５０）を装置（１００）内に取り付ける工程、を含む方法において、
各流量要素（１５５）は、製品（Ｗ）の表面に面する側を備えており、当該側は溝及び／又は穴形状を形成するように構成されていること、又は、
前記少なくとも一つの流量要素（１５５）は、製品（Ｗ）の表面から５０ｍｍ以下の範囲で間隔をあけて置かれること、又は、
製品が板状製品（Ｗ）である場合には、流量部材（１５０）は、板状製品（Ｗ）の両側に配置され、流量部材（１５０）のパドル様流量要素（１５５）は、板状製品（Ｗ）の両側に面して互いに喰い違うように置かれることを特徴とする、方法。
【手続補正書】
【提出日】平成23年5月16日(2011.5.16)
【手続補正１】
【補正対象書類名】明細書
【補正対象項目名】発明の名称
【補正方法】変更
【補正の内容】
【発明の名称】ＣＶＤ反応装置における基板の表面温度の温度制御のための装置
【手続補正２】
【補正対象書類名】明細書
【補正対象項目名】０００２
【補正方法】変更
【補正の内容】
【０００２】
特許文献１と特許文献２は、この種のＣＶＤ反応装置を開示する。これらの文献に開示される装置は、実質的に円形ディスクの形であるサセプタを備えている。そして、サセプタは水平面に配置される表面上に多数の凹部を有している。各凹部には、１以上の基板を置くことができる回転テーブルが配置されている。基板はプロセスチャンバーの中で層、特に半導体層でコーティングされる。層を形成する材料は、ガス注入口素子を通ってガスの形でプロセスチャンバーに導入される。回転テーブルは個別のガスクッションで支えられる。回転テーブルが回転するように、ガスは回転テーブルの下面と凹部の底の間の中間の空間に導入される。サセプタの下にヒーターがあり、ヒーターは下からサセプタを加熱する。その結果、個別の回転テーブルは同様に熱の伝導と熱の放射によって加熱される。回転テーブルの表面温度または回転テーブルの上に配置された基板の表面温度は温度測定素子によってモニターされる。それぞれのガスクッションを形成するガス流を増加または減少させることによってガスクッションの高さを変えることで、表面温度を個別に変えることができる。その結果、回転テーブルと凹部の底の間のすき間を通る熱の移動は変更される。
【手続補正３】
【補正対象書類名】明細書
【補正対象項目名】０００３
【補正方法】変更
【補正の内容】
【０００３】
特許文献２に開示されている方法は、ガスクッションの高さの変更による温度制御に関する。ガス流はガス流量制御デバイスによって設定される。
特許文献３は、プロセスチャンバーの中の基板の表面温度を制御するためのデバイスを開示する。特許文献３に開示されている技術では、ガスクッションの高さが変えられるのではなくて、ガス混合物で構成されるガスの組成が変えられる。ガスの一つは高い熱伝導度を持ち、他のガスは低い熱伝導度を持つ。
特許文献４は、反応装置ハウジングに回転自在に配置されたキャリアが、個々に基板を受け入れる多数のサセプタを運ぶＣＶＤコーティング装置を開示する。
【手続補正４】
【補正対象書類名】明細書
【補正対象項目名】０００４
【補正方法】変更
【補正の内容】
【０００４】
特許文献５は、異なる部分において異なって回転駆動される床を持ったプロセスチャンバーを開示する。共通ガス供給ラインがサセプタのガス流路系に開く。そこで、分割が起こり、それぞれ基板ホルダが配置され、ガス膜によって運ばれる多数のベアリングチャンバーを作る。
特許文献６は、反応装置ハウジングに回転自在に配置されたキャリアを持ったコーティング装置を開示する。そのキャリアは、その回転の中心の周りに衛星のような方法で配置された多数の受入れチャンバーを運ぶ。各受入れチャンバーの中には基板ホルダがある。
特許文献７は、ＣＶＤ反応装置のサセプタを開示する。このサセプタでは、コーティングの間、基板が回転する。
【手続補正５】
【補正対象書類名】明細書
【補正対象項目名】００１０
【補正方法】変更
【補正の内容】
【００１０】
共通ガス供給ラインのガス圧力を一定に保つために、圧力コントローラが供給ラインに配置される。サセプタの中心の周りに実質的に１つのリングの形に配置された多数の回転テーブルまたは基板の表面温度が、リングと関連して個別に単一の温度測定素子によって順々に測定されるという事実によって、その方法は特に認められる。対応する方法で、関連するガスクッションへのガス流が対応して順々に変えられる。その結果として、ガスクッションの高さの変化がある明確な間隔で順々に起こる。制御または調節イベントの間の時間は比較的ゆっくりとした温度変化との関連で短い。
【手続補正６】
【補正対象書類名】明細書
【補正対象項目名】００１６
【補正方法】変更
【補正の内容】
【００１６】
ガス吸気口素子２４の開口３２の上に温度センサー４がある。温度センサー４は、例えばパイロメーターである。温度センサー４は回転の中心（中心軸Ｚ）から半径方向に所定の距離だけ離れて回転テーブル２の上に直接配置される。それで、回転テーブル２の表面温度または回転テーブル２の上に置かれた１以上の基板の表面温度が温度センサー４によって測定されることができる。表面温度はガスクッション３の高さを変えることによって変えられる。